(57)【要約】【課題】  ＣＲＧ内部の自己昇温によるトナーへのダメージを低減させる。【解決手段】  Ｃ、Ｄブレードのベース板部（金属部）と容器で構成された中空部をプロセスカートリッジ内に設け、この中空部に画像形成装置より外部の空気を送り込むための通風孔を設け、前記中空部に風を通す。【選択図】  図１
2005173226.tif 000002
【特許請求の範囲】
【請求項１】
電子写真画像形成装置に着脱可能なプロセスカートリッジにおいて、電子写真感光体ドラムに形成された静電潜像を現像剤により顕像化する現像剤担持体を回転自在に保持し、現像剤担持体上の現像剤量を規制する現像剤規制部材を有する現像枠体が、前記現像剤規制部材と現像枠体で形成された中空部を有し、前記中空部に通風するための通風口を有することを特徴とするプロセスカートリッジ。
【請求項２】
前記現像剤規制部材の一部が金属部材で構成されており、前記金属部材と前記現像枠体で中空部を構成したことを特徴とする請求項１に記載のプロセスカートリッジ。
【請求項３】
前記中空部は現像剤規制部材と略平行で吹き抜け構成となっていることを特徴とする請求項２に記載のプロセスカートリッジ。
【請求項４】
前記通風口は現像枠体の両側に設けられており、通風口の位置が両側で略一致した位置に設けられていることを特徴とする請求項３に記載のプロセスカートリッジ。
【請求項５】
電子写真画像形成装置に着脱可能なプロセスカートリッジにおいて、電子写真感光体ドラムを回転自在に保持し、前記電子写真感光体ドラム上に形成された静電潜像を転写後に残留したトナーを除去するクリーニング部材を備えると共に除去した廃トナーを貯留する廃トナー溜を設けたクリーニング枠体が、前記クリーニング部材とクリーニング枠体で形成された中空部を有し、前記中空部に通風するための通風口を有することを特徴とするプロセスカートリッジ。
【請求項６】
前記クリーニング部材の一部が金属部材で構成されており、前記金属部材と前記クリーニング枠体で中空部を構成したことを特徴とする請求項４に記載のプロセスカートリッジ。
【請求項７】
前記中空部は前記クリーニング部材と略平行で吹き抜け構成となっていることを特徴とする請求項５に記載のプロセスカートリッジ。
【請求項８】
前記通風口はクリーニング枠体の両側に設けられており、通風口の位置が両側で略一致した位置に設けられていることを特徴とする請求項７に記載のプロセスカートリッジ。
【請求項９】
電子写真画像形成装置に着脱可能なプロセスカートリッジにおいて、電子写真感光体ドラムを回転自在に保持し、前記電子写真感光体ドラム上に形成された静電潜像を転写後に残留したトナーを除去するクリーニング部材の一部が中空部を形成し、前記中空部に通風するための通風口を有することを特徴とするプロセスカートリッジ。
【請求項１０】
電子写真画像形成装置に着脱可能なプロセスカートリッジにおいて、現像枠体が電子写真感光体ドラムに形成された静電潜像を現像剤により顕像化する現像剤担持体を回転自在に保持し、現像剤担持体上の現像剤量を規制する現像剤規制部材の一部が中空部を形成し、前記中空部に通風するための通風口を有することを特徴とするプロセスカートリッジ。
【請求項１１】
前記クリーニング部材あるいは前記現像剤規制部材の中空部が金属部材で構成されたことを特徴とする請求項９あるいは請求項１０に記載のプロセスカートリッジ。
【請求項１２】
前記現像剤規制部材あるいは前記クリーニング部材の金属部材は熱伝導率が８０W/（ｍ・K）以上であることを特徴とする請求項２あるいは請求項６あるいは請求項１１に記載のプロセスカートリッジ。
【請求項１３】
前記中空部を形成する金属部材が、中空部面側に凸部を有することを特徴とする請求項１２に記載のプロセスカートリッジに用いられる現像材規制部材あるいはクリーニング部材。
【請求項１４】
請求項１〜１３に記載のプロセスカートリッジが着脱可能な電子写真画像形成装置において、前記通風口に通風するための通風手段を有し、前記通風手段が前記通風口と略一致する位置に設けられたこと特徴とする電子写真画像形成装置。
【発明の詳細な説明】
【技術分野】
【０００１】
本発明は電子写真画像形成装置及びその本体に着脱可能なプロセスカートリッジに関する。
【０００２】
ここで、電子写真画像形成装置とは、電子写真画像形成方式を用いて記録媒体に画像を形成する物である。そして、電子写真画像形成装置の例としては、例えば電子写真複写機、電子写真プリンタ（例えばレーザービームプリンタ、ＬＥＤプリンタ等）及びファクシミリ装置等が含まれる。
【０００３】
また、プロセスカートリッジとは、帯電手段、現像手段またはクリーニング手段と電子写真感光体ドラムとを一体的にカートリッジ化し、このカートリッジを画像形成装置本体に対して着脱可能とする物である。及び帯電手段、現像手段、クリーニング手段の少なくとも１つと感光体ドラムとを一体的にカートリッジ化して画像形成装置本体に着脱可能とするものである。更に、少なくとも現像手段と電子写真感光体ドラムとを一体的にカートリッジ化して装置本体に着脱可能とするものをいう。
【背景技術】
【０００４】
従来、複写機、プリンタなどの画像形成装置の高速化、小型化に伴い、画像形成装置内の空間の減少、定着性向上のためのトナーの低融点化などが行われている。しかし高速化、小型化に伴いプロセスカートリッジの冷却性の低下、摺動部による自己昇温が発生する。これによりプロセスカートリッジ内部の温度が上昇してしまい、低融点化されたトナーの現像性、流動性などに影響を与えることが考えられる。この内部の温度上昇を低下させるため、画像形成装置に設けたファンにより外気を取り込み、プロセスカートリッジの周囲の雰囲気温度を下げることはもとより、感光体ドラム内部に空気流を送風するためのファンを感光体ドラム内部に設けている場合や（例えば、特許文献１参照）。
【０００５】
また画像形成装置内において定着器で発生した熱がプロセスカートリッジに及ぶことを防止するために感光体ドラムを保護するシャッター内を中空部とし、プロセスカートリッジが画像形成装置内に装着された時、前記シャッターが開閉し、定着器とプロセスカートリッジとの間に開閉され、前記中空部に風を送ることで熱を遮断する構成がある。（例えば、特許文献２参照）。
【０００６】
またプロセスカートリッジ内部の熱を吸引することで、その吸引により生じた気流により現像ローラなどを冷却し吸引する口にフィルターを設け、飛散トナーが外部に漏れ出さないようにする構成がある。（例えば、特許文献３参照）
【特許文献１】特開平04-199081号公報（第3-4頁、図４）
【特許文献２】特開2000-330456号公報（第４-6頁、図１０）
【特許文献３】特開2002-278268号公報（第6頁、図１）
【発明の開示】
【発明が解決しようとする課題】
【０００７】
しかしながら上記の従来技術では、次のような問題があった。
【０００８】
感光体ドラムの温度上昇を抑えるためにドラム内にファンを設ける場合においては感光体ドラムの内径が大きくなければファンによる風速の効果が少なく、ファンに電力を供給するための接点も必要となる。またカラーレーザープリンタで複数のプロセスカートリッジを並べたインライン型ではドラム内に風を送り込むためには感光体ドラムをクリーニング枠体に支持するためのフランジに通風口を設ける必要があり、この通風口のためにフランジの強度が低下することで、各CRGの感光体ドラムの回転ムラによる色ずれが生じる可能性がある。
【０００９】
またプロセスカートリッジ内において感光体ドラムとクリーニング部材のゴム部との摩擦、現像剤担持体と現像剤規制部材との摺動により生じた熱を断熱するための中空部を設け、温度発生の個所から断熱することはスペースが必要となり、プロセスカートリッジが大きくなってしまう。
【００１０】
またプロセスカートリッジ内部に風を送り込み内部の温度を下げようとした場合、風を送り込むだけでは風が送り込まれた個所のみ温度が低下し内部全体を冷却しようとした場合、強い風を送り込む必要がある。しかし強い風を送り込むと、風によりトナー飛散が生じてしまう。また送り込まれた風が内部で拡散してしまい、効果的に熱を排出することができない。
【００１１】
またプロセスカートリッジ内部の熱を吸引する場合、内部で発生した気流により飛散したトナーを外部に飛散させないためにはトナーフィルターが必要になるが、トナーフィルターにトナーが付着していくと吸引力が低下するといった課題がある。
【課題を解決するための手段】
【００１２】
主要な本発明は請求項と対応する番号を付して示せば以下のとおりである。
【００１３】
本発明の第一の電子写真画像形成装置に着脱可能なプロセスカートリッジにおいて、電子写真感光体ドラムに形成された静電潜像を現像剤により顕像化する現像剤担持体を回転自在に保持し、現像剤担持体上の現像剤量を規制する現像剤規制部材を有する現像枠体が、前記現像剤規制部材と現像枠体で形成された中空部を有し、前記中空部に通風するための通風口を風が通風されることにより現像装置近傍の温度上昇を低減でき、またトナー飛散の発生が生じないプロセスカートリッジである。
【００１４】
本発明の第四の電子写真画像形成装置に着脱可能なプロセスカートリッジにおいて、電子写真感光体ドラムを回転自在に保持し、前記電子写真感光体ドラム上に形成された静電潜像を転写後に残留したトナーを除去するクリーニング部材を備えると共に除去した廃トナーを貯留する廃トナー溜を設けたクリーニング枠体が、前記クリーニング部材とクリーニング枠体で形成された中空部を有し前記中空部に通風するための通風口を風が通風されることによりクリーニング部材と感光体ドラムとの摩擦により生じる昇温を減少することができるプロセスカートリッジである。
【発明の効果】
【００１５】
本発明によれば、プロセスカートリッジ内で生じた自己昇温による熱をトナー飛散が生じることなくプロセスカートリッジ外に排出することが可能となり、トナーへの熱のダメージを低減でき安定した画像形成が可能となる。またトナーの感光体ドラムや現像ローラ、現像ブレードへの内部温度上昇による融着を防止できる。
【００１６】
尚、実施例では画像形成装置としてレーザービームプリンタを例示したが、本発明はこれに限定する必要はなく、例えば、複写機、あるいはファクシミリ装置等の画像形成装置に使用することも当然可能であり、また、実施例で例示したプロセスカートリッジに限定する必要もなく、例えばプロセスカートリッジ方式を用いていない従来形式の画像形成装置に使用することも可能である。
【発明を実施するための最良の形態】
【００１７】
以下に本発明の実施の形態を図１から図１７に基づいて説明する。この実施の形態における長手方向とは記録媒体の搬送方向に直角で記録媒体の面に平行な方向をいう。
【実施例１】
【００１８】
（プロセスカートリッジ及び装置本体の説明）
図１に本発明に係る画像形成装置の主断面図、図２に本発明に係るプロセスカートリッジの主断面図を図示する。このプロセスカートリッジは、像担持体と像担持体に作用するプロセス手段を備えたものである。ここでプロセス手段としては、例えば像担持体の表面を帯電させる帯電手段、像担持体にトナー像を形成する現像装置、像担持体表面に残留したトナーを除去するためのクリーニング手段がある。プロセスカートリッジは像担持体と、プロセス手段のうち少なくとも一つと、を備えればよい。
【００１９】
本実施の形態のプロセスカートリッジＰは、図２に示すように像担持体である電子写真感光体ドラム（以下、感光体ドラムという）１１の周囲に帯電手段である帯電ローラ１２及びクリーニング手段としてのクリーニングブレード１４を収納したクリーニング枠体１３と、感光体ドラム１１を保護するドラム保護シャッター９と、現像装置Ｄとして、現像ローラ１８、現像ブレード２６を収納した現像枠体１７と、現像剤であるトナーを収納し、トナーを攪拌する回転部材としての攪拌部材３４，３５，３６を内蔵したトナー収納容器３０とトナー収納蓋３１とを溶着することでトナー収納ユニット１６を構成し、そしてこれらを一体的にプロセスカートリッジＰとし、トナー収納蓋３１の上部に設けられた把手１０を手で持つことによりプロセス手段に無理な力をかけること無く、画像形成装置本体に対して着脱自在に構成している。
【００２０】
このプロセスカートリッジＰは、図１に示すような画像形成装置Ｃに装着されて画像形成に用いられる。画像形成は、装置下部に装着されたシートカセット６から搬送ローラ７によって記録媒体としてのシートＳを感光体ドラム１１の転写位置へ搬送し、シートＳへ行われる。
【００２１】
感光体ドラム１１は、帯電ローラ１２によって帯電された後、露光装置８によって画像情報に応じて選択的な露光が行われ、静電潜像が形成される。露光装置８による露光は、レジストローラ３によるシート搬送と同期して行われる。
【００２２】
その後、トナー収納ユニット１６に収納したトナーを現像枠体１７側に送り、このトナーを現像ブレード２６により摩擦帯電電荷を付与すると共に現像ローラ１８の表面に薄層担持し、現像ローラ１８に現像バイアスを印加することによって、潜像に応じて現像ローラ１８から感光体ドラム１１へトナーを供給する。図１に示すようにこの感光体ドラム１１上に形成されたトナー像を転写位置で転写ローラ５へのバイアス電圧の印加によって搬送されるシートＳに転写し、そのシートＳを定着装置４へ搬送して画像を定着し、排紙ローラ１によって装置上部の排出部２に排出する。一方、転写した後、感光体ドラム１１上に残留したトナーはクリーニングブレード１４で除去されクリーニング枠体１３内に貯留される。
【００２３】
（プロセスカートリッジの枠体構成）
更に現像装置Ｄ周辺について詳細に説明する。
【００２４】
図２、図３は本実施の形態におけるプロセスカートリッジＰの構成の概略を示している。プロセスカートリッジＰの現像装置Ｄはトナー収納ユニット１６に収納したトナーをトナー担持体としての現像ローラ１８の表面に担持すると共に、現像ローラ１８に現像バイアスを印加する事によって感光体ドラム１１に形成した潜像に応じてトナーを供給するものである。
【００２５】
そして現像ローラ１８はアルミニウムやステンレス等の円筒状の金属で構成され、マグネットローラ１８ａを内包している。
【００２６】
プロセスカートリッジＰの構成を模式的に示す分解斜視図を図３に示す。トナー収納ユニット１６はトナー収納容器３０の位置決めピン３０ａにサイドカバー１９のボス１９ｃ及びサイドカバー２０のボス２０ｃを嵌入することによって位置決めされて固定されている。また、クリーニング枠体１３は感光体ドラム１１を支持し、かつ、位置決めボス１３ｂと位置決めピン１９ｂ，２０ｂを嵌合することでトナー収納ユニット１６と同様にサイドカバー１９，２０に固定されている。従ってクリーニング枠体１３とトナー収納ユニット１６はサイドカバー１９，２０を通じて一体的に固定されている。
【００２７】
現像装置Ｄの現像枠体１７は現像ローラ１８、現像ブレード２６等の現像部材を支持している。現像ローラ１８は現像枠体１７の吊り穴１８ｄのある側の一端に設けた軸受及び、この軸受と長手方向の反対側の他端において現像枠体１７に固定された現像ローラ軸受１７ｅに回転自在に支持されている。現像枠体１７の吊り穴１７ｄとクリーニング枠体１３の穴１３ａを不図示のピンで結合することにより前記穴１３ａを回転中心として現像枠体１７は、クリーニング枠体１３対し揺動可能に支持されている。そして図６に示すようにクリーニング枠体１３に突設したバネ掛け１３ｃと現像枠体１７に突設したバネ掛け１７ｆとの間に引張コイルばね２２を張設してある。
【００２８】
図３、図７に示すようにサイドカバー１９の溝１９ｅの内部には現像ローラ軸受１７ｅが移動自在に嵌合しており圧縮コイルばね４０が現像ローラ軸受１７ｅを感光体ドラム１１に向うように加圧するように配置されている。ここでサイドカバー１９の溝１９ｅは感光体ドラム１１の中心をとおる線上に設けた長溝である。この圧縮コイルばね４０と前記引張コイルばね２２のばね力により、現像ローラ１８の両端部に設けた現像ローラ１８と同心で現像隙間分（約３００μｍ）だけ半径の大きな突き当てコロ１８ｂが感光体ドラム１１の画像領域外に圧接している。
【００２９】
現像枠体１７をクリーニング枠体１３で支持することによって、現像枠体１７とトナー収納容器３０の間には隙間が出来るように構成されている。本実施の形態では現像装置Ｄとトナー収納容器１６間の隙間をシールする構成であり、密封部材としてシート部材２１を貼り合わせ蛇腹形状を形成して密封し、板部材２３を介して取り付けられている。この場合シート部材２１とは厚さ１ｍｍ以下であるが、前記蛇腹形状の可撓性が損なわれない材質を選定することで、シート部材２１の厚みが１ｍｍ以上でも可能である。
【００３０】
次に図４及び図５にシート部材２１を袋状密封部材に形成する方法の概略を示す。
【００３１】
図４に示すようにシート部材２１は板部材２３及び現像枠体１７の開口部２３ｂ，１７ｂと略同一面積、もしくは同一面積以上の開口部２１ａ，２１ｂを有している。
【００３２】
このシート部材２１を板部材２３及び現像枠体１７に各開口部１７ｂ，２３ｂ付近の閉じた形状２１ｃ，２１ｅ（斜線部）で接合する。
【００３３】
本実施の形態の場合、現像枠体１７及び板部材２３とシート部材２１の接合はヒートシール法、インパルスシール法などの熱溶着によって行われるが、超音波溶着、接着剤、粘着テープ等を用いてもよい。
【００３４】
次に図５に示すようにシート部材２１は現像枠体１７と板部材２３に貼り付けられた後に、矢印の方向に両開口面が向い合うように折り曲げられ、蛇腹（袋形状）を形成するように、折り返して合わさる面の端部２１ｄ（斜線部）同志を接合し密封させる。この場合の密封手段もヒートシール法、インパルスシール法などの熱溶着、又は超音波溶着、接着剤、粘着テープを用いる事ができる。
次に板部材２３をトナー収納容器３０に取り付けるが、このときに図３に示すトナーシール部材２４が通過できるように取り付けの一部を溶着または接着していない。
【００３５】
本実施の形態の場合２３ａ部を溶着し、トナー封止部材２５がトナーシール部材２４を押えつける領域は溶着または接着しない構成となっている。（図３、図６参照）
このようにしてあるため、トナー収納容器３０と現像枠体１７の対向面の間隔が変動してもシール部材２１は袋形状の蛇腹になっているため変位が生ずる際の抵抗を極めて小さくできる。また、シール部材２１を板部材２３と現像枠体１７の間に取り付けることで板部材２３がトナーシール部材２４を覆うようにする事が出来るので、トナーシール部材２４が通過する隙間にトナー封止部材２５を取り付けることが可能になり、トナー漏れを防止できる。
更に板部材２３と現像枠体１７を同一平面でシールして、トナー収納容器３０に直接貼る場合と比べて、溶着に必要な溶着受け台（不図示）の形状が単純化できる。
【００３６】
さらに、板部材２３があることで現像枠体１７とのユニット化が可能になり、トナー収納ユニット１６への取り付けが容易になる。
【００３７】
（プロセスカートリッジの冷却方法）
図８に示すようにクリーニングブレード１４は感光体ドラム１１と当接するゴム部１４ａとこれを支持する板金部１４ｂで構成される。ゴム部１４ａはウレタンゴムなどで形成されている。前述したように感光体ドラム１１上に残留したトナーはゴム部１４ａにより感光体ドラム１１から掻き落とされるが、ゴム部１４ａと感光体ドラム１１との間では感光体ドラム１１の回転により摩擦熱が生じる。また現像装置Ｄにおいても現像ブレード２６は現像ローラ２６と当接するゴム部１６ａとゴム部１６ａを支持する板金部１６ｂで構成されており、現像ブレード２６のゴム部１６ａと現像ローラ１８でトナーに摩擦帯電電荷を付与すると共に表面に薄層担持するが、この摩擦帯電時にも摩擦熱が生じる。これらプロセスカートリッジ内部の摩擦熱により感光体ドラム１１、クリーニングブレード１４、現像ブレード２６の温度が上昇し、そしてクリーニング枠体１３、現像枠体１７からトナーへと熱が伝導しトナーが熱によりダメージを受けてしまい現像性、流動性が悪化する可能性がある。また摩擦熱により感光体ドラム上や、現像ブレード、現像ローラにトナーの固着が生じる可能性がある。
【００３８】
しかしプロセスカートリッジＰ内のドラム近傍Ｅに風を送り込み、これら摩擦熱の発生元を風により冷却しようとした場合、トナー飛散が生じてしまいこれによりプロセスカートリッジや画像形成装置をトナーにより汚してしまう可能性がある。また送り込む風が弱いとトナー飛散は生じないが風があたる個所の温度が低下するのみでプロセスカートリッジ内部の温度を全体的に下げることは難しい。
【００３９】
この風を効果的にプロセスカートリッジ内に送り込むためにクリーニングブレード１４の板金部１４ｂとクリーニング枠体１３でクリーニング中空部４３を形成する。クリーニング中空部４３は板金部１４ｂがＬ字形状となっており、このＬ字部の一面にクリーニング枠体１３でコの字の形状を当接させることでクリーニング中空部４３を形成する。またクリーニング枠体１３内に貯留されたトナーが中空部４３内に飛散しないようにシール部材６５をクリーニング枠体１３内のリブ１３ｄに貼り付ける。これによりクリーニングブレード１４で除去されたトナーが中空部に進入し、中空部内の風により飛散することはない。シール部材は枠体のコの字部との密閉性が保たれる部材であればよく、ウレタンフォームやゴム部材といった弾性部材、あるいは両面テープといった粘着部材などでもよい。
【００４０】
また現像装置Ｄにおいても同様に現像ブレード２６の板金部２６ｂと現像枠体１７により現像中空部４４を形成する。現像中空部４４においても現像枠体内Ｄからトナーの侵入を防ぐために前記クリーニング枠体に用いたシール部材２６の類を用いてもよいが、ブレードのゴム部２６ａに現像枠体１７のコの字部を当接させることでシールを行ってもよい。
【００４１】
ここでクリーニングブレード１４、現像ブレード２６に用いられるこれらブレード板金部の材質としては鉄、銅、アルミなど熱伝導率が８０W/（ｍ・K）以上の金属材が効果が高く、熱伝導性と剛性を兼ねそろえたゴム部支持部材として構成することができる。
【００４２】
また図９はクリーニングブレード１４を中空部側から見た図であり、風は矢印Ｇの方向に流れる構成となっている。クリーニング中空部内部４３での放熱効率を高めるために、中空部内部側の板金部に凸上のフィン１４ｃを形成することも可能である。フィンにより風にあたる熱伝達率の高い板金部の接触面積を増すことにより冷却効果を高めることも可能である。またクリーニングブレード１４の枠体への固定はビス（不図示）により固定されるが、この固定位置を前記中空部の断面で端部１４ｄに配置することで中空部の風の通りが少なくなることを防止する。また現像ブレード２６についても同様の構成をとることができる。
【００４３】
そしてクリーニングブレード１４とクリーニング枠体１３、現像ブレード２６と現像枠体１７で形成されたクリーニング中空部４３、現像中空部４４はクリーニングブレード１４と現像ブレード２６に平行な吹き抜け構成とすることでプロセスカートリッジの長手方向に風を損失を少なく流すことができる。またクリーニング中空部４３，現像中空部４４はクリーニング枠体と現像枠体を支持するサイドカバー１９，２０に設けられた通風口４５，４６（図１０）、排出口４７，４８（図１１）と略一致させることでプロセスカートリッジ内を風が抜けやすい構成となっている。
【００４４】
図１２に示すようにプロセスカートリッジＰが画像形成装置Cに装着された状態を示す。画像形成装置Ｃのプロセスカートリッジを挿入する挿入口１５（図１４に図示）を覆う前ドア３３には、図１３に示すように内側にファン６０と、ファンからの風が送り込まれるダクト３２がプロセスカートリッジＰのサイドカバー１９に設けられた通風口４５，４６に対して略一致した個所に取り付けられている。そしてダクト３２はファンから送り込まれた風をクリーニング中空部４３と現像中空部４４にそれぞれ分割し送風を行う。また前ドア３３には外気を取り込むスリット部３３ａも設けられておりスリット部３３ａとファン６０、そしてダクト３２は風の流れを妨げないように断面方向で略一致した位置に配置される。このファン６０により外気をプロセスカートリッジＰ内に設けられたクリーニング枠体と現像枠体の中空部４３，４４に送り込むことができる。そしてサイドカバー２０側には中空部から通風された風を逃がすための排出口２０ａ，２０ｂ（図１１）が設けられており、排出口から排出された風は画像形成装置内を通り、外部に排出される構成となっている。
【００４５】
よってクリーニングブレード１４や現像ブレード２６の板金部すなわち金属部を通じて、摩擦により発生した感光体ドラム１１や現像ローラ近傍のプロセスカートリッジ内部の熱を、通風口より送り込まれた風により奪い、プロセスカートリッジ内部の昇温を低下することが可能である。またクリーニング中空部４３，現像中空部４４は金属部と枠体で囲まれた吹き抜け形状なっているため、内部の温度上昇に応じた風量を送り込めばよく、その際にもトナーによる内部の飛散などは生じることなくプロセスカートリッジ内部の熱を下げることが可能である。またプロセスカートリッジ内に画像形成装置本体の外部からプロセスカートリッジ内に風量を損なうことなく、効果的に風を送ることが可能である。
【００４６】
（画像形成装置本体への着脱方法）
次に図１３、図１４を用いてプロセスカートリッジＰの画像形成装置Ｃ本体への着脱方法について説明する。
【００４７】
図１３に示すようにプロセスカートリッジＰのサイドカバー２０の先端に画像形成装置Ｃ本体への挿入ガイドとなる第１ガイド部２０ｇが設けられている。またサイドカバー１９，２０の底面には挿入時にガイドとなる第２ガイド部１９ｆ，２０ｆが設けてある。
【００４８】
一方、画像形成装置Ｃには正面にはプロセスカートリッジＰを挿入する挿入口５１が設けられている。この挿入口５１にプロセスカートリッジＰを挿入する。前記挿入口５１内には第１ガイド部２０ｇを載置するガイド部５２と第２ガイド部１９ｆ，２０ｆを載置するガイド部５３が設けられている。使用者はプロセスカートリッジＰの把手１０を持ち、第１ガイド部２０ｇ、第２ガイド部１９ｆ，２０ｆが画像形成装置Ｃ本体のガイド部５２，５３に乗るように載置する。そしてプロセスカートリッジＰを画像形成装置Ｃ内に正面から奥に向けて挿入する。そしてその後、正面に設けられたレバー１０３を矢印Ｂの方向に動作させることによりプロセスカートリッジが矢印Ｆの方向に揺動し、画像形成可能な位置に固定される。そして前述した前ドア３３を閉めることで印字可能状態となる。
【００４９】
本実施例では画像形成装置にプロセスカートリッジを１台装着するモノクロ画像装置構成について説明を行ったが、インライン型のカラー電子写真画像形成装置に用いられるプロセスカートリッジにおいても同様である。また現像ローラにアルミなどの金属材ではなく、ゴム材を感光体ドラムに接触させて現像を行う接触現像方式が用いられている場合などは、感光体ドラムと現像ローラが接触していることにより熱の発生源が多い場合においても本実施例の構成を用いることことができる。
【００５０】
つまりクリーニングブレード板金部とクリーニング枠体、現像ブレード板金部と現像枠体で構成された中空部に通風することでプロセスカートリッジ内の温度を低下させることは同様に可能である。また
【実施例２】
【００５１】
図１６に示すように上記第1の実施例の形態で説明したクリーニング中空部４３を形成するクリーニングブレード１４の板金部１４ｂがコの字形状となっており、このコの字部の一面にクリーニング枠体１３を当接させることでクリーニング中空部４３を形成する。またクリーニング枠体１３内に貯留されたトナーが中空部４３内に飛散しないようにシール部材６５をクリーニング枠体１３内に貼り付ける。また現像装置Ｄにおいても同様に現像ブレード２６の板金部２６ｂのコの字部の一面と現像枠体１７により現像中空部４４を形成する。現像中空部４４においても現像枠体内Ｄからトナーの侵入を防ぐために前記クリーニング枠体に用いたシール部材２６の類を用いてもよいが、ブレードのゴム部２６ａに現像枠体１７のコの字部を当接させることでシールを行ってもよい。
【実施例３】
【００５２】
図１７に示すように上記第1の実施例の形態で説明したクリーニング中空部４３を形成するクリーニングブレード１４の板金部１４ｂがロの字形状となっておりクリーニング中空部４３を形成する。またクリーニング枠体１３内に貯留されたトナーが中空部４３内に飛散しないようにシール部材６５をクリーニング枠体１３内に貼り付ける。また現像装置Ｄにおいても同様に現像ブレード２６の板金部２６ｂがロの字部により現像中空部４４を形成する。現像中空部４４においても現像枠体内Ｄからトナーの侵入を防ぐために前記クリーニング枠体に用いたシール部材２６の類を用いてもよいが、ブレードのゴム部２６ａに現像枠体１７のリブ部１７ｃを当接させることでシールを行ってもよい。
【図面の簡単な説明】
【００５３】
【図１】本発明の実施の形態における第一の実施例の画像形成装置の主断面概略図である。
【図２】本発明の実施の形態における第一の実施例のプロセスカートリッジの主断面概略図である。
【図３】本発明の実施の形態における第一の実施例のプロセスカートリッジの分解斜視図である。
【図４】本発明の実施の形態における第一の実施例の密封部材の斜視図である。
【図５】本発明の実施の形態における第一の実施例の密封部材の斜視図である。
【図６】本発明の実施の形態における第一の実施例のプロセスカートリッジの内部側面図である。
【図７】本発明の実施の形態における第一の実施例のプロセスカートリッジの内部側面図である。
【図８】本発明の実施の形態における第一の実施例のプロセスカートリッジの主断面図である。
【図９】本発明の実施の形態における第一の実施例のプロセスカートリッジの断面斜視図である。
【図１０】本発明の実施の形態における第一の実施例のプロセスカートリッジの側面図である。
【図１１】本発明の実施の形態における第一の実施例のプロセスカートリッジの側面図である。
【図１２】本発明の実施の形態における第一の実施例の画像形成装置本体の斜視図である。
【図１３】本発明の実施の形態における第一の実施例の画像形成装置の冷却部の斜視図である。
【図１４】本発明の実施の形態における第一の実施例の画像形成装置にプロセスカートリッジを挿入した正面図である。
【図１５】本発明の実施の形態における第一の実施例の画像形成装置でのプロセスカートリッジを装着した正面図である。
【図１６】本発明の実施の形態における第二の実施例のプロセスカートリッジの主断面図である。
【図１７】本発明の実施の形態における第三の実施例のプロセスカートリッジの主断面図である。
【符号の説明】
【００５４】
Ｃ  画像形成装置
Ｐ  プロセスカートリッジ
Ｄ  現像ユニット
１  排出ローラ
２  排出部
４  定着装置
５  転写ローラ
６  シートカセット
７  搬送ローラ
８  露光装置
１１  感光体ドラム
１２  帯電ローラ
１３  クリーニング枠体
１４  クリーニングブレード
１６  トナー収納ユニット
１７  現像枠体
１８  現像ローラ
１９  サイドカバー
２０  サイドカバー
３２  ダクト
３３  前ドア
４３  クリーニング中空部
４４  現像中空部
４５  通風口
４７  排出口
６０  ファン
【図１】
2005173226.tif 000003
【図２】
2005173226.tif 000004
【図３】
2005173226.tif 000005
【図４】
2005173226.tif 000006
【図５】
2005173226.tif 000007
【図６】
2005173226.tif 000008
【図７】
2005173226.tif 000009
【図８】
2005173226.tif 000010
【図９】
2005173226.tif 000011
【図１０】
2005173226.tif 000012
【図１１】
2005173226.tif 000013
【図１２】
2005173226.tif 000014
【図１３】
2005173226.tif 000015
【図１４】
2005173226.tif 000016
【図１５】
2005173226.tif 000017
【図１６】
2005173226.tif 000018
【図１７】
2005173226.tif 000019